【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
（Ａ）少なくとも１種の臭素化された芳香族ジエステルジオールと、
（Ｂ）（ｉ）炭素数４〜約８の無水物、（ｉｉ）少なくとも１種の燐酸ジヒドロカルビル、（ｉｉｉ）各ハロゲン原子が塩素または臭素である少なくとも１種の燐酸ジハロヒドロカルビル、（ｉｖ）少なくとも１種のクロロ燐酸ジヒドロカルビル、（ｖ）各ハロゲン原子が塩素または臭素である少なくとも１種のクロロ燐酸ジハロヒドロカルビル、（ｖｉ）少なくとも１種のクロロチオ燐酸ジヒドロカルビル、（ｖｉｉ）各ハロゲン原子が塩素または臭素である少なくとも１種のクロロチオ燐酸ジハロヒドロカルビル，または（ｖｉｉｉ）これらの２種またはそれ以上の混合物である少なくとも１種のアルコール反応性試薬
との反応生成物を含んで成ることを特徴とする燃焼遅延剤。
【請求項２】
（Ａ）はテトラブロモフタル酸無水物のジエチレングリコールおよびプロピレングリコール混合エステルから実質的に成ることを特徴とする請求項１記載の燃焼遅延剤。
【請求項３】
（Ｂ）は無水物またはクロロ燐酸ジヒドロカルビルであることを特徴とする請求項１記載の燃焼遅延剤。
【請求項４】
（Ｂ）は酢酸無水物であることを特徴とする請求項１記載の燃焼遅延剤。
【請求項５】
（Ｂ）はクロロ燐酸ジアリールであることを特徴とする請求項１記載の燃焼遅延剤。
【請求項６】
該クロロ燐酸ジアリールはクロロ燐酸ジフェニルであることを特徴とする請求項５記載の燃焼遅延剤。
【請求項７】
（Ａ）はテトラブロモフタル酸無水物のジエチレングリコールおよびプロピレングリコール混合エステルから実質的に成り、（Ｂ）は無水物またはクロロ燐酸ジヒドロカルビルであることを特徴とする請求項１記載の燃焼遅延剤。
【請求項８】
（Ａ）はテトラブロモフタル酸無水物のジエチレングリコールおよびプロピレングリコール混合エステルから実質的に成り、（Ｂ）は酢酸無水物であることを特徴とする請求項１記載の燃焼遅延剤。
【請求項９】
（Ａ）はテトラブロモフタル酸無水物のジエチレングリコールおよびプロピレングリコール混合エステルから実質的に成り、（Ｂ）はクロロ燐酸ジアリールであることを特徴とする請求項１記載の燃焼遅延剤。
【請求項１０】
（Ａ）はテトラブロモフタル酸無水物のジエチレングリコールおよびプロピレングリコール混合エステルから実質的に成り、（Ｂ）はクロロ燐酸ジフェニルであることを特徴とする請求項１記載の燃焼遅延剤。
【請求項１１】
（Ａ）少なくとも１種の臭素化された芳香族ジエステルジオールと、（Ｂ）（ｉ）炭素数４〜約８の無水物、（ｉｉ）少なくとも１種の燐酸ジヒドロカルビル、（ｉｉｉ）各ハロゲン原子が塩素または臭素である少なくとも１種の燐酸ジハロヒドロカルビル、（ｉｖ）少なくとも１種のクロロ燐酸ジヒドロカルビル、（ｖ）各ハロゲン原子が塩素または臭素である少なくとも１種のクロロ燐酸ジハロヒドロカルビル、（ｖｉ）少なくとも１種のクロロチオ燐酸ジヒドロカルビル、（ｖｉｉ）各ハロゲン原子が塩素または臭素である少なくとも１種のクロロチオ燐酸ジハロヒドロカルビル，または（ｖｉｉｉ）これらの２種またはそれ以上の混合物である少なくとも１種のアルコール反応性試薬とを反応させることを特徴とする燃焼遅延剤の製造法。
【請求項１２】
（Ａ）はテトラブロモフタル酸無水物のジエチレングリコールおよびプロピレングリコール混合エステルから実質的に成ることを特徴とする請求項１１記載の方法。
【請求項１３】
（Ｂ）は無水物またはクロロ燐酸ジヒドロカルビルであることを特徴とする請求項１１記載の方法。
【請求項１４】
（Ｂ）は酢酸無水物であることを特徴とする請求項１１記載の方法。
【請求項１５】
（Ｂ）はクロロ燐酸ジアリールであることを特徴とする請求項１１記載の方法。
【請求項１６】
該クロロ燐酸ジアリールはクロロ燐酸ジフェニルであることを特徴とする請求項１５記載の方法。
【請求項１７】
（Ａ）はテトラブロモフタル酸無水物のジエチレングリコールおよびプロピレングリコール混合エステルから実質的に成り、（Ｂ）は無水物またはクロロ燐酸ジヒドロカルビルであることを特徴とする請求項１１記載の方法。
【請求項１８】
（Ａ）はテトラブロモフタル酸無水物のジエチレングリコールおよびプロピレングリコール混合エステルから実質的に成り、（Ｂ）は酢酸無水物であることを特徴とする請求項１１記載の方法。
【請求項１９】
（Ａ）はテトラブロモフタル酸無水物のジエチレングリコールおよびプロピレングリコール混合エステルから実質的に成り、（Ｂ）はクロロ燐酸ジアリールであることを特徴とする請求項１１記載の方法。
【請求項２０】
（Ａ）はテトラブロモフタル酸無水物のジエチレングリコールおよびプロピレングリコール混合エステルから実質的に成り、（Ｂ）はクロロ燐酸ジフェニルであることを特徴とする請求項１１記載の方法。
【請求項２１】
該反応生成物の混合物は（Ａ）および（Ｂ）を接触させてつくられ、該反応生成物の混合物をエポキシドで処理することを特徴とする請求項１１記載の方法。
【請求項２２】
該エポキシドで処理する前に該反応生成物の混合物を真空蒸溜することを特徴とする請求項２１記載の方法。
【請求項２３】
該エポキシドのヒドロカルビル部分は分岐しているか直鎖であることを特徴とする請求項２１記載の方法。
【請求項２４】
該エポキシドはエチレンオキシド、プロピレンオキシド、またはイソブチレンオキシドであることを特徴とする請求項２３記載の方法。
【請求項２５】
該反応生成物の混合物は（Ａ）および（Ｂ）を接触させてつくられ、該反応生成物の混合物をエポキシドで処理することを特徴とする請求項１８記載の方法。
【請求項２６】
該エポキシドで処理する前に該反応生成物の混合物を真空蒸溜することを特徴とする請求項２１記載の方法。
【請求項２７】
該エポキシドはエチレンオキシド、プロピレンオキシド、またはイソブチレンオキシドであることを特徴とする請求項２５記載の方法。
【請求項２８】
次の成分または構成材料、即ち
（ａ）臭素化された芳香族ジエステルジオールと、（ｉ）炭素数４〜約８の無水物、（ｉｉ）炭素数２〜約８のハロゲン化アシル、（ｉｉｉ）少なくとも１種の燐酸ジヒドロカルビル、（ｉｖ）各ハロゲン原子が塩素または臭素である少なくとも１種の燐酸ジハロヒドロカルビル、（ｖ）少なくとも１種のクロロ燐酸ジヒドロカルビル、（ｖｉ）各ハロゲン原子が塩素または臭素である少なくとも１種のクロロ燐酸ジハロヒドロカルビル、（ｖｉｉ）少なくとも１種のクロロチオ燐酸ジヒドロカルビル、（ｖｉｉｉ）各ハロゲン原子が塩素または臭素である少なくとも１種のクロロチオ燐酸ジハロヒドロカルビル，または（ｉｘ）これらの２種またはそれ以上の混合物である少なくとも１種のアルコール反応性試薬との少なくとも１種の反応生成物；
（ｂ）少なくとも１種の立体障害をもったアミン酸化防止剤；および
（ｃ）アルカン酸の部分の炭素数が２〜約４の範囲にあり、アルキル基の炭素数が６〜１６の範囲にあるアルカン酸のアルキルエステルによってフェノール環が置換された少なくとも１種のフェノール性酸化防止剤を含んで成り、
該混合物をつくるのに使用された成分または構成材料（ａ）、（ｂ）および（ｃ）の量は重量基準で、（１）（ａ）対（ｂ）の割合が３０：７０〜７０：３０の範囲にあり、（２）（ｂ）対（ｃ）の割合が３：１〜１：３の範囲にあり、（３）（ａ）対（ｂ）＋（ｃ）の割合は５：１〜２５：１の範囲にあることを特徴とする液体の燃焼遅延性添加剤組成物。
【請求項２９】
（ａ）は無水物とテトラブロモフタル酸無水物のジエチレングリコールおよびプロピレングリコール混合エステルとの反応生成物から実質的に成るか、またはクロロ燐酸ジヒドロカルビルとテトラブロモフタル酸無水物のジエチレングリコールおよびプロピレングリコール混合エステルとの反応生成物から実質的に成ることを特徴とする請求項２８記載の組成物。
【請求項３０】
（ａ）は酢酸無水物とテトラブロモフタル酸無水物のジエチレングリコールおよびプロピレングリコール混合エステルとの反応生成物から実質的に成ることを特徴とする請求項２８記載の組成物。
【請求項３１】
（ａ）はクロロ燐酸ジアリールとテトラブロモフタル酸無水物のジエチレングリコールおよびプロピレングリコール混合エステルとの反応生成物から実質的に成ることを特徴とする請求項２８記載の組成物。
【請求項３２】
（ａ）はクロロ燐酸ジフェニルルとテトラブロモフタル酸無水物のジエチレングリコールおよびプロピレングリコール混合エステルとの反応生成物から実質的に成ることを特徴とする請求項２８記載の組成物。
【請求項３３】
（ｂ）は環のアルキル置換基がそれぞれ約４〜９の範囲の炭素原子を含む少なくとも１種の液体のアルキル化されたジフェニルアミンから実質的に成ることを特徴とする請求項２８記載の組成物。
【請求項３４】
（ｃ）は３，５−ジ−ｔ−ブチル−４−ヒドロキシフェニルプロピオン酸の分岐したＣ7〜Ｃ9アルキルエステルから実質的に成ることを特徴とする請求項２８記載の組成物。
【請求項３５】
（ａ）は無水物とテトラブロモフタル酸無水物のジエチレングリコールおよびプロピレングリコール混合エステルとの反応生成物から実質的に成るか、或いはクロロ燐酸ジヒドロカルビルとテトラブロモフタル酸無水物のジエチレングリコールおよびプロピレングリコール混合エステルとの反応生成物から実質的に成り；ｂ）は環のアルキル置換基がそれぞれ約４〜９の範囲の炭素原子を含む少なくとも１種の液体のアルキル化されたジフェニルアミンから実質的に成り；（ｃ）は３，５−ジ−ｔ−ブチル−４−ヒドロキシフェニルプロピオン酸の分岐したＣ7〜Ｃ9アルキルエステルから実質的に成ることを特徴とする請求項２８記載の組成物。
【請求項３６】
（ａ）は酢酸無水物とテトラブロモフタル酸無水物のジエチレングリコールおよびプロピレングリコール混合エステルとの反応生成物から実質的に成り；ｂ）は環のアルキル置換基がそれぞれ約４〜９の範囲の炭素原子を含む少なくとも１種の液体のアルキル化されたジフェニルアミンから実質的に成り；（ｃ）は３，５−ジ−ｔ−ブチル−４−ヒドロキシフェニルプロピオン酸の分岐したＣ7〜Ｃ9アルキルエステルから実質的に成ることを特徴とする請求項２８記載の組成物。
【請求項３７】
（ａ）はクロロ燐酸ジアリールとテトラブロモフタル酸無水物のジエチレングリコールおよびプロピレングリコール混合エステルとの反応生成物から実質的に成り；ｂ）は環のアルキル置換基がそれぞれ約４〜９の範囲の炭素原子を含む少なくとも１種の液体のアルキル化されたジフェニルアミンから実質的に成り；（ｃ）は３，５−ジ−ｔ−ブチル−４−ヒドロキシフェニルプロピオン酸の分岐したＣ7〜Ｃ9アルキルエステルから実質的に成ることを特徴とする請求項２８記載の組成物。
【請求項３８】
（ａ）はクロロ燐酸ジフェニルとテトラブロモフタル酸無水物のジエチレングリコールおよびプロピレングリコール混合エステルとの反応生成物から実質的に成り；ｂ）は環のアルキル置換基がそれぞれ約４〜９の範囲の炭素原子を含む少なくとも１種の液体のアルキル化されたジフェニルアミンから実質的に成り；（ｃ）は３，５−ジ−ｔ−ブチル−４−ヒドロキシフェニルプロピオン酸の分岐したＣ7〜Ｃ9アルキルエステルから実質的に成ることを特徴とする請求項２８記載の組成物。
【請求項３９】
イソシアネートおよびポリオールからつくられる可撓性をもったポリウレタン発泡体の製造法において、該方法は
（Ｉ）（ａ）少なくとも１種の臭素化された芳香族ジエステルジオールと（ｉ）炭素数４〜約８の無水物、（ｉｉ）炭素数２〜約８のハロゲン化アシル、（ｉｉｉ）少なくとも１種の燐酸ジヒドロカルビル、（ｉｖ）各ハロゲン原子が塩素または臭素である少なくとも１種の燐酸ジハロヒドロカルビル、（ｖ）少なくとも１種のクロロ燐酸ジヒドロカルビル、（ｖｉ）各ハロゲン原子が塩素または臭素である少なくとも１種のクロロ燐酸ジハロヒドロカルビル、（ｖｉｉ）少なくとも１種のクロロチオ燐酸ジヒドロカルビル、（ｖｉｉｉ）各ハロゲン原子が塩素または臭素である少なくとも１種のクロロチオ燐酸ジハロヒドロカルビル，または（ｉｘ）これらの２種またはそれ以上の混合物である少なくとも１種のアルコール反応性試薬との反応生成物；
（ｂ）少なくとも１種の立体障害をもったアミン酸化防止剤；および
（ｃ）アルカン酸の部分の炭素数が２〜約４の範囲にあり、アルキル基の炭素数が６〜１６の範囲にあるアルカン酸のアルキルエステルによってフェノール環が置換された少なくとも１種のフェノール性酸化防止剤を、
該製造される可撓性をもったポリウレタン発泡体に燃焼遅延性およびスコーチ耐性を与えるのに十分な量で重合組成物の中に含ませ、
（ＩＩ）得られた組成物を反応させて燃焼遅延性およびスコーチ耐性をもった可撓性のポリウレタン発泡体をつくることを特徴とする可撓性のポリウレタン発泡体の製造法。
【請求項４０】
イソシアネート、ポリオール、表面活性剤、触媒、および発泡剤を含んで成る成分または構成材料からつくられた燃焼遅延性の可撓性をもったポリウレタン発泡体組成物において、該ポリウレタン発泡体をつくるのに使用される成分または構成材料はさらに
（ａ）臭素化された芳香族ジエステルジオールと（ｉ）炭素数４〜約８の無水物、（ｉｉ）炭素数２〜約８のハロゲン化アシル、（ｉｉｉ）少なくとも１種の燐酸ジヒドロカルビル、（ｉｖ）各ハロゲン原子が塩素または臭素である少なくとも１種の燐酸ジハロヒドロカルビル、（ｖ）少なくとも１種のクロロ燐酸ジヒドロカルビル、（ｖｉ）各ハロゲン原子が塩素または臭素である少なくとも１種のクロロ燐酸ジハロヒドロカルビル、（ｖｉｉ）少なくとも１種のクロロチオ燐酸ジヒドロカルビル、（ｖｉｉｉ）各ハロゲン原子が塩素または臭素である少なくとも１種のクロロチオ燐酸ジハロヒドロカルビル，または（ｉｘ）これらの２種またはそれ以上の混合物であるアルコール反応性試薬との少なくとも１種の反応生成物；
（ｂ）少なくとも１種の立体障害をもったアミン酸化防止剤；および
（ｃ）アルカン酸の部分の炭素数が２〜約４の範囲にあり、アルキル基の炭素数が６〜１６の範囲にあるアルカン酸のアルキルエステルによってフェノール環が置換された少なくとも１種のフェノール性酸化防止剤を、
可撓性をもったポリウレタン発泡体に燃焼遅延性およびスコーチ耐性を与えるのに十分な量で含んで成っていることを特徴とする燃焼遅延性をもったポリウレタン発泡体組成物。